(57)【要約】【課題】  磁気ディスクの回転に伴って発生する気流の影響を効果的に抑えることのできる磁気ディスク装置を提供する。【解決手段】  少なくとも１つの磁気ディスク媒体を含むディスクアセンブリ、前記磁気ディスク媒体に磁気信号を記録するとともに、磁気信号を読み出す少なくとも１つの磁気ヘッド部、及び当該磁気ヘッド部を支持する少なくとも１つのアーム部を含むヘッドアセンブリ、前記磁気ヘッド部を前記磁気ディスク媒体から退避させる際に、当該磁気ヘッド部を所定の退避位置まで案内する少なくとも１つのランプを含むランプアセンブリ、及び前記ランプアセンブリと一体に、前記磁気ディスク媒体に対応して前記磁気ディスク媒体と同数設けられ、当該対応する磁気ディスク媒体と並んで配置されて、前記ディスクアセンブリの回転に伴って発生する気流を誘導するシュラウドフィン、を有する磁気ディスク装置とする。【選択図】        図３
2006318519.tif 000002
【特許請求の範囲】
【請求項１】
少なくとも１つの磁気ディスク媒体を含むディスクアセンブリ、
前記磁気ディスク媒体に磁気信号を記録するとともに、磁気信号を読み出す少なくとも１つの磁気ヘッド部、及び当該磁気ヘッド部を支持する少なくとも１つのアーム部を含むヘッドアセンブリ、
前記磁気ヘッド部を前記磁気ディスク媒体から退避させる際に、当該磁気ヘッド部を所定の退避位置まで案内する少なくとも１つのランプを含むランプアセンブリ、及び
前記ランプアセンブリと一体に、前記磁気ディスク媒体に対応して前記磁気ディスク媒体と同数設けられ、当該対応する磁気ディスク媒体と並んで配置されて、前記ディスクアセンブリの回転に伴って発生する気流を誘導するシュラウドフィン、
を有することを特徴とする磁気ディスク装置。
【請求項２】
請求項１に記載の磁気ディスク装置において、
前記シュラウドフィンは、前記磁気ヘッド部が前記ランプによって前記所定の退避位置まで案内される際に、前記アーム部が当該シュラウドフィン上を移動可能に配置されている
ことを特徴とする磁気ディスク装置。
【請求項３】
請求項１に記載の磁気ディスク装置において、
前記シュラウドフィンは、前記ランプアセンブリから伸長され、前記対応する磁気ディスク媒体の側面と所定距離をおいて対向する、当該側面に沿った湾曲面を有する
ことを特徴とする磁気ディスク装置。
【発明の詳細な説明】
【技術分野】
【０００１】
本発明は、磁気ディスク装置に関し、特に磁気ヘッドを収納するランプに関する。
【背景技術】
【０００２】
ハードディスクドライブ等の磁気ディスク装置として、磁気ディスクにデータを書き込み、又は磁気ディスクからデータを読み出す等の処理を行う際には当該磁気ディスク上の目的セクタの位置に磁気ヘッドを浮上させ、当該処理を行わないときには、磁気ディスク上から磁気ヘッドを退避させる、いわゆるロード／アンロード方式で動作するものがある。
【０００３】
このロード／アンロード方式で動作する磁気ディスク装置においては、磁気ヘッドを磁気ディスク上から退避させる際に、当該磁気ヘッドを所定の退避位置まで案内するランプが設けられる。
【０００４】
一方、このような磁気ディスク装置においては、磁気ディスクの高速回転に伴って筐体内に空気の流れが生じる。この気流は、磁気ディスク上における磁気ヘッドの位置決め精度に影響を与える。
【０００５】
そこで、従来、この磁気ディスクの回転に伴う気流を制御するために、例えば、磁気ディスクの周囲を覆うシュラウドが設けられていた（例えば、特許文献１）。
【特許文献１】特開２００２−１８４１５４号公報
【発明の開示】
【発明が解決しようとする課題】
【０００６】
しかしながら、上記従来の磁気ディスク装置においては、ランプとシュラウドとは別体として設けられており、磁気ディスクの回転に伴って当該ランプからシュラウドが途切れることによって、気流の乱れが発生し、磁気ヘッドを支持するアクチュエーターを振動させることにつながる。また、当該ランプの周辺のシュラウドが無いことは、磁気ヘッドの近傍での気流の乱れが発生する可能性が高いことを意味する。すなわち、アクチュエーターを振動させることと共に、磁気ヘッドを支持するサスペンションに対しての振動の発生の原因にもなり、結果的に磁気ヘッドの位置決め精度が低下することがあった。
【０００７】
本発明は、上記課題に鑑みて為されたものであり、磁気ディスクの回転に伴って発生する気流の影響を効果的に抑えることのできる磁気ディスク装置を提供することをその目的の一つとする。
【課題を解決するための手段】
【０００８】
上記課題を解決するための本発明の一態様に係る磁気ディスク装置は、少なくとも１つの磁気ディスク媒体を含むディスクアセンブリ、前記磁気ディスク媒体に磁気信号を記録するとともに、磁気信号を読み出す少なくとも１つの磁気ヘッド部、及び当該磁気ヘッド部を支持する少なくとも１つのアーム部を含むヘッドアセンブリ、前記磁気ヘッド部を前記磁気ディスク媒体から退避させる際に、当該磁気ヘッド部を所定の退避位置まで案内する少なくとも１つのランプを含むランプアセンブリ、及び前記ランプアセンブリと一体に、前記磁気ディスク媒体に対応して前記磁気ディスク媒体と同数設けられ、当該対応する磁気ディスク媒体と並んで配置されて、前記ディスクアセンブリの回転に伴って発生する気流を誘導するシュラウドフィン、を有することを特徴とする。
【発明を実施するための最良の形態】
【０００９】
以下に、本発明の一実施の形態に係る磁気ディスク装置について、図面を参照しながら説明する。図１は、本実施形態に係る磁気ディスク装置の主な構成を示す上面図である。
【００１０】
図１に示すように、磁気ディスク装置１は、筐体であるベース２内に各部材が取り付けられている。なお、実装時には、このベース２に図示しないカバーを取り付けることにより、筐体内を密閉する。
【００１１】
この磁気ディスク装置１は、データが記録される少なくとも１つの磁気ディスク媒体１１を含み、スピンドルモータ１２によって回転可能に保持されるディスクアセンブリ１０を有している。
【００１２】
本実施形態においては、このディスクアセンブリ１０が２つの磁気ディスク媒体１１を有している場合を例として説明する。以下、このディスクアセンブリ１０に含まれる２つの磁気ディスク媒体１１を区別して呼ぶ必要がある場合には、当該２つの磁気ディスク媒体１１のうち、上方に取り付けられている方を第一ディスク１１ａ、当該第一ディスク１１ａの下方（すなわちベース２側）に取り付けられている方を第二ディスク１１ｂ、とそれぞれ呼ぶこととする。
【００１３】
また、この磁気ディスク装置１は、磁気ディスク媒体１１の磁気信号が記録される表面上に浮上し、当該表面に磁気信号を記録するとともに当該表面から磁気信号を読み出す磁気ヘッド部２１と、当該磁気ヘッド部２１を支持するアーム部２２と、の組を、ディスクアセンブリ１０に含まれる磁気ディスク媒体１１の磁気信号が記録される表面の数だけ含み、ピボット軸２３を中心にボイスコイルモータ３０によって揺動可能に保持されるヘッドアセンブリ２０を有する。
【００１４】
本実施形態においては、ディスクアセンブリ１０に含まれる第一ディスク１１ａと第二ディスク１１ｂとの各々の上面及び下面にデータが記録されるため、ヘッドアセンブリ２０は、磁気ヘッド部２１とアーム部２２との組を４つ含む。
【００１５】
また、この磁気ディスク装置１においては、磁気ディスク媒体１１に対する磁気信号の記録及び読出処理の方式として、当該処理を行うときには磁気ヘッド部２１を磁気信号を記録し又は読み出す磁気ディスク媒体１１表面の目的セクタ上に浮上させ、当該処理を行わないときにはヘッドアセンブリ２０を揺動させて磁気ヘッド部２１を当該磁気ディスク媒体１１表面から退避させる、いわゆるロード（ｌｏａｄ）／アンロード（ｕｎｌｏａｄ）方式を採用している。
【００１６】
このため、この磁気ディスク装置１は、磁気ヘッド部２１を退避させるアンロード時に、ヘッドアセンブリ２０に含まれる各磁気ヘッド部２１を所定の退避位置まで案内するランプを当該ヘッドアセンブリ２０に含まれる磁気ヘッド部２１の数だけ（すなわち、本実施形態においては４つ）含むランプアセンブリ４０を有している。
【００１７】
また、この磁気ディスク装置１は、ランプアセンブリ４０と一体に形成され、ディスクアセンブリ１０の回転に伴って当該磁気ディスク装置１の筐体内に発生する気流を誘導するシュラウド５０を有している。
【００１８】
すなわち、この磁気ディスク装置１は、シュラウド５０と一体に形成されたランプアセンブリ４０を有している。
【００１９】
次に、このシュラウド５０を備えたランプアセンブリ４０について詳しく説明する。
【００２０】
図２、図３、及び図４は、ランプアセンブリ４０の斜視図、上面図、及び側面図をそれぞれ示している。なお、図４は、図３に示す矢印Ａの方向から見た側面図である。
【００２１】
図２〜図４に示すように、このランプアセンブリ４０は、当該ランプアセンブリ４０をベース２に固定するためのネジが挿入されるネジ穴４３が形成された基部４２と、アンロード時に磁気ヘッド部２１を所定の退避位置まで案内するランプ４１，４２をヘッドアセンブリ２０に含まれる磁気ヘッド部２１の数だけ（すなわち、本実施形態においては４つ）有する。
【００２２】
具体的に、このランプアセンブリ４０は、第一ディスク１１ａの上面に対応する磁気ヘッド２１を案内する第一上ランプ４１ａと、当該第一ディスク１１ａの下面に対応する磁気ヘッド２１を案内する第一下ランプ４２ａと、第二ディスク１１ｂの上面に対応する磁気ヘッド２１を案内する第二上ランプ４１ｂと、当該第二ディスク１１ｂの下面に対応する磁気ヘッド２１を案内する第二下ランプ４２ｂと、を有している。
【００２３】
また、このランプアセンブリ４０には、基部４２から伸び出すように形成される板状部材であって、ディスクアセンブリ１０に含まれる各磁気ディスク媒体１１に対応して、当該ディスクアセンブリ１０に含まれる磁気ディスク１１の数だけ（すなわち、本実施形態においては２つ）設けられ、当該対応する各磁気ディスク媒体１１と並んで配置されるシュラウドフィン５１、を含むシュラウド５０が一体に設けられている。
【００２４】
具体的に、このシュラウド５０は、第一上ランプ４１ａと第一下ランプ４２ａとの間から伸び出し、第一ディスク１１ａに対向する位置に、当該第一ディスク１１ａと並んで配置される第一シュラウドフィン５１ａと、第二上ランプ４１ｂと第二下ランプ４２ｂとの間から伸び出し、第二ディスク１１ｂに対向する位置に、当該第二ディスク１１ｂと並んで配置される第二シュラウドフィン５１ｂと、を有する。
【００２５】
各シュラウドフィン５１は、ランプアセンブリ４０の基部４２から、対向する磁気ディスク媒体１１の側面の一部に沿って所定長さだけ伸び出す湾曲面であって、当該対向する磁気ディスク媒体１１の側面の高さ（すなわち、当該磁気ディスク媒体１１の厚さ）と略等しい高さをもつディスク対向側面５２を有している。
【００２６】
各ディスク対向側面５２は、各シュラウドフィン５１がディスクアセンブリ１０の回転に伴って発生する気流を誘導するシュラウドとして機能することができるよう、所定の間隔をおいて、対応する各磁気ディスク媒体１１の側面に対向している。
【００２７】
具体的に、第一シュラウドフィン５１ａは、第一上ランプ４１ａと第一下ランプ４２ａとの間から、第一ディスク１１ａの側面の高さと略等しい高さと、当該第一ディスク１１ａの側面の曲率と略等しい曲率と、をもって所定長さだけ伸び出し、当該所定長さの第一ディスク１１ａ側面と所定距離をおいて対向する第一ディスク対向側面５２ａを有している。また、第二シュラウドフィン５１ｂも同様に、第二ディスク１１ｂの側面の一部に対向する第二ディスク対向側面５２ｂを有している。
【００２８】
また、各シュラウドフィン５１は、各ディスク対向側面５２の高さと略等しい厚さ（すなわち、対向する各磁気ディスク媒体１１の厚さと略等しい厚さ）をもって形成されている。
【００２９】
具体的に、第一シュラウドフィン５１ａ及び第二シュラウドフィン５１ｂは、それぞれ、第一ディスク１１ａ及び第二ディスク１１ｂと略等しい厚さの板状部材として形成されている。
【００３０】
このため、互いに平行な各シュラウドフィン５１の上面５３及び下面５４は、それぞれ、対向する各磁気ディスク媒体１１の上面及び下面と略同一平面上（当該各磁気ディスク媒体１１の上面及び下面の略延長上）に位置することとなる。
【００３１】
具体的に、第一シュラウドフィン５１ａの上面５３ａ及び下面５４ａは、それぞれ、第一ディスク１１ａの上面及び下面と略同一平面上に位置し、第二シュラウドフィン５１ｂの上面５３ｂ及び下面５４ｂは、それぞれ、第二ディスク１１ｂの上面及び下面と略同一平面上に位置している。
【００３２】
また、ヘッドアセンブリ２０を揺動させて、各磁気ヘッド部２１を対応する磁気ディスク媒体１１の各表面から退避させる際には、当該各磁気ヘッド部２１は、それぞれ対応するランプ４１，４２に案内されるが、この際、当該各磁気ヘッド部２１を支持する各アーム部２２は、当該各磁気ヘッド部２１に対応する磁気ディスク媒体１１に対向する各シュラウドフィン５１上を移動する。
【００３３】
具体的に、第一ディスク１１ａの上面に対して磁気信号の記録又は読み出しを行う磁気ヘッド部２１が第一上ランプ４１ａ上に退避される際には、当該磁気ヘッド部２１を支持するアーム部２２は、第一シュラウドフィン５１ａの上面５３ａ上を移動する。
【００３４】
また、第一ディスク１１ａの下面に対応する磁気ヘッド部２１が第一下ランプ４２ａ上に退避される際には、当該磁気ヘッド部２１を支持するアーム部２２は、第一シュラウドフィン５１ａの下面５４ａ上、すなわち、当該下面５４ａと第二シュラウドフィン５１ｂの上面５３ｂとの間を移動する。
【００３５】
また、同様に、第二ディスク１１ｂの上面に対応する磁気ヘッド部２１を支持するアーム部２２は、第一シュラウドフィン５１ａと第二シュラウドフィン５１ｂとの間を移動し、第二ディスク１１ｂの下面に対応する磁気ヘッド部２１を支持するアーム部２２は、第二ディスク１１ｂの下方を移動する。
【００３６】
このように、シュラウド５０には、ヘッドアセンブリ２０の各磁気ヘッド部２１を退避させる際に、当該各磁気ヘッド部２１を支持するアーム部２２が移動し、また、当該各磁気ヘッド部２１が対応するランプ４１，４２上に乗り上げて静止しているときには当該各磁気ヘッド部２１を支持するアーム部２２が位置する空間としてのスリットが形成されている。
【００３７】
すなわち、このシュラウド５０は、少なくともアンロード時にヘッドアセンブリ２０の各アーム部２２が位置する範囲を切り欠いた構造となっている。
【００３８】
なお、本発明に係る磁気ディスク装置１は、上述の例に限られない。すなわち、例えば、ランプアセンブリ４０に設けられた各シュラウドフィン５１には、ディスク対向側面５２付近から、磁気ディスク媒体１１と反対の方向に向かって、その厚さを減じるテーパ領域５５が形成されていてもよい。
【００３９】
具体的に、この場合のランプアセンブリ４０の一例について、その斜視図を図５に、その上面図を図６に、それぞれ示す。
【００４０】
この図５及び図６に示す例において、各シュラウドフィン５１の上面５３には、少なくとも一部が磁気ディスク媒体１１の厚さと略等しいディスク対向側面５２から遠ざかるにつれて下方に傾斜するテーパ領域５５が形成されている。
【００４１】
このようなテーパ領域５５を設けることにより、ディスクアセンブリ１０の回転によって発生する気流を誘導するシュラウド５０の機能を向上させることができる。なお、このテーパ領域５５は、各シュラウドフィン５１の下面５４に形成されてもよいし、又は上面５３と下面５４との双方に形成されてもよい。
【００４２】
また、上述の例においてディスクアセンブリ１０は２つの磁気ディスク媒体１１を含むこととしたが、これに限られず、例えば、１つ又は３つ以上の磁気ディスク媒体１１を含むこととしてもよい。この場合、磁気ヘッド部２１、アーム部２２、ランプ４１，４２、シュラウドフィン５１等の数は、このディスクアセンブリ１０に含まれる磁気ディスク媒体１１の数に対応して設けられる。
【図面の簡単な説明】
【００４３】
【図１】本発明の一実施形態に係る磁気ディスク装置の主な構成を示す上面図である。
【図２】本発明の一実施形態に係るランプアセンブリ及びシュラウドの一例についての斜視図である。
【図３】本発明の一実施形態に係るランプアセンブリ及びシュラウドの一例についての上面図である。
【図４】本発明の一実施形態に係るランプアセンブリ及びシュラウドの一例について、図３に示す矢印Ａの方向から見た側面図である。
【図５】本発明の一実施形態に係るランプアセンブリ及びシュラウドの他の例についての斜視図である。
【図６】本発明の一実施形態に係るランプアセンブリ及びシュラウドの他の例についての上面図である。
【符号の説明】
【００４４】
１  磁気ディスク装置、１０  ディスクアセンブリ、１１  磁気ディスク媒体、１２  スピンドルモータ、２０  ヘッドアセンブリ、２１  磁気ヘッド部、２２  アーム部、２３  ピボット軸、３０  ボイスコイルモータ、４０  ランプアセンブリ、４１，４２  ランプ、４２  基部、４３  固定ネジ穴、５０  シュラウド、５１  シュラウドフィン、５２  ディスク対向側面、５５  テーパ領域。
【図１】
2006318519.tif 000003
【図２】
2006318519.tif 000004
【図３】
2006318519.tif 000005
【図４】
2006318519.tif 000006
【図５】
2006318519.tif 000007
【図６】
2006318519.tif 000008